(57)【要約】【課題】木材と木材を強力に引寄せて締結できる木材締結用木ねじを提供する。【解決手段】先鋭な先端部５、第１ネジ部６、円柱状の無ネジ部７、第２ネジ部８、頭部３の順に設け、第２ネジ部８は、ネジ山をリード角０度にて成形した導入部９、導入部９から連設し、第１ネジ部６のネジと同ピッチで成形されたネジ山１８を頭部３の首下まで設けた主部１０とからなる木材締結用木ネジを使って木材と木材を締結すれば、双方の木材がしっかりと引寄せられ、いつまでも双方の木材の間に隙間が生じることがないので、床の軋みや壁面の撓み等の発生を防ぐことができる。【選択図】  図１
2005003188.tif 000002
【特許請求の範囲】
【請求項１】
木材と木材を締結するために使用される木ネジであって、先鋭な先端部、先鋭な先端部から始まる第１ネジ部、所定の長さの円柱状の無ネジ部、続いて第２ネジ部、木ネジを回す工具と嵌合する機構を有する頭部の順に設け、第２ネジ部は、前記円柱状の無ネジ部側の端部ネジ山をリード角０度にて成形した導入部、導入部から連設し、第１ネジ部のネジピッチと同じピッチで成形されたネジ山を前記頭部の首下まで設けた主部とからなることを特徴とする木材締結用木ネジ。
【請求項２】
請求項１に記載の木材締結用木ネジにおいて、前記第２ネジ部の導入部のネジ山が、前記円柱状の無ネジ部の前記頭部側の端部表面から徐々に拡径し、その最大外径が前記第２ネジ部の主部のネジ山の最大外径より小さく、前記第２ネジ部の主部のネジ山に連設したことを特徴とする木材締結用木ネジ。
【請求項３】
請求項１および請求項２に記載の木材締結用木ネジにおいて、前記第２ネジ部の主部のネジ山が、主部の途中から前記第２ネジ部の導入部に向って徐々に縮径し、前記第２ネジ部の導入部のネジ山への移行部分で、段差が無いよう成形したことを特徴とする木材締結用木ネジ。
【発明の詳細な説明】
【０００１】
【発明の属する技術分野】
この発明は建築物に使用される例えば床下を構成する大引と根太のように木材と木材を締結する木ネジに関する。
【０００２】
【従来の技術】
例えば木造建築物の床下を構成する大引と根太の締結、または間柱と胴縁の締結をするのに一般的な釘から、いろいろな外的要因による振動により釘が緩んで抜け、床の軋みや壁面の撓み等が生じるため、最近では釘に変わり公知の木ネジがよく使われていたが、公知の木ネジでは２つの木材を締結する際、両方の木材にネジが係るとネジの回転によりそれぞれの木材が同じように木ネジの頭方向に引き寄せられるため、被固定側の木材と固定側の木材が密着せず、両者の間に隙間が生じ、床の軋みや壁面の撓み等が発生るといった問題から、特開２００１−９０７２０号や特開平６−４２５１５号に開示された、木ネジの先端側と頭部側にピッチの異なるネジ山を設けることで、双方の木材のネジ頭部側への引寄せ速度を違えることで双方の木材を引寄せられるよう工夫されたものが提案された。
【０００３】
【特許文献１】
特開２００１−９０７２０号公報
【特許文献２】
特開平６−４２５１５号公報
【０００４】
【発明が解決しようとする課題】
しかしながら、これらのネジは、被固定側または固定側のそれぞれの木材に螺合する木ネジのネジ山ピッチが違う為、比較的柔らかい木材に使用した場合、一方の木材には、ピッチの異なる２種類のネジ山が螺入し、木材のネジ山との接触部分が破壊されるので、木材の経年変化によりネジの締結力が失われ、結果として十分な引き寄せ効果が得られなかったり、また比較的硬い木材に使用した場合、先端側と頭部側のネジピッチが異なるために先端側と頭部側とで螺入速度が異なり、結果、木ネジが捻じ込み途中で螺進不可能となり、最後まで捻じ込めないことがあった。
【０００５】
【課題を解決するための手段】
上記のような課題を解決するため、請求項１の発明は、木材と木材を締結するために使用される木ネジであって、先鋭な先端部、先鋭な先端部から始まる第１ネジ部、所定の長さの円柱状の無ネジ部、続いて第２ネジ部、木ネジを回す工具と嵌合する機構を有する頭部の順に設け、第２ネジ部は、前記円柱状の無ネジ部側の端部ネジ山をリード角０度にて成形した導入部、導入部から連設し、第１ネジ部のネジピッチと同じピッチで成形されたネジ山を前記頭部の首下まで設けた主部とからなる構成を採用したものである。
【０００６】
請求項２の発明は、請求項１に記載の木材締結用木ネジにおいて、前記第２ネジ部の導入部のネジ山が、前記円柱状の無ネジ部の前記頭部側の端部表面から徐々に高くなり、その最大外径が前記第２ネジ部の主部のネジ山の最大外径より小さく、前記第２ネジ部の主部のネジ山に連設した構成を採用したものである。
【０００７】
請求項３の発明は、請求項１および請求項２に記載の木材締結用木ネジにおいて、前記第２ネジ部の主部のネジ山が、主部の途中から前記第２ネジ部の導入部に向って徐々に縮径し、前記第２ネジ部の導入部への移行部分で段差が無いよう成形した構成を採用したものである。
【０００８】
【発明の実施の形態】
以下、この発明の実施の形態を図示例と共に説明する。
【０００９】
図１に示すように、本発明である木ネジ１には軸部２の一端に、木ネジ１を回す工具３１と嵌合する機構４を有する頭部３、他端に先鋭な先端部５、先鋭な先端部５から始まる第１ネジ部６のネジ山１６を軸部２の所定位置まで設け、続いて被固定側の木材の厚みと同じ長さ以上の全長に構成され、断面の外径がネジ山１６の谷径より大きく、呼び径より小さく成形された円柱状の無ネジ部７を、続いて前記頭部３の首下まで、第２ネジ部８を設けてある。
【００１０】
また、第２ネジ部８は、円柱状の無ネジ部７の端から始まる、導入部９と、第１ネジ部６のネジ山１６と同じリード角でネジ山１８を成形した主部１０とからなり、主部１０はその途中から導入部への移行部分に向って徐々に縮径し、導入部９のネジ山１７は、無ネジ部７の頭部３側の端１１の表面からリード角０度にてネジ山１７が主部１０のネジ山１８に向って徐々に拡径し、ネジ山１８からとネジ山１７への移行部分で、双方のネジ山の外径が同じ大きさとなって段差無く、連設するように成形してある。
【００１１】
次に、本発明である木ネジ１による木造建築物の床下を構成する大引２２と根太２１の締結方法を、図３を用いて説明する。
【００１２】
予め図示しない床束に接合された大引２２上に直交するように設置された根太２１の上から本発明である木ネジ１の頭部３に設けた機構４に工具３１を嵌合させ、先鋭な先端部５から捻じ込んでいく。
【００１３】
先鋭な先端部５が根太２１を貫通し、大引２２に捻じ込まれていく。そして第１ネジ部６のネジ山１６が大引２２に完全に捻じ込まれると、円柱状の無ネジ部７に続いて、第２ネジ部８のネジ山１７が根太２１に回転しながら食い込んでいく。
【００１４】
この時、ネジ山１７のリード角は０度にて成形されているので、ネジ山１７が根太２１に回転しながら食い込んでいく時、ネジ山１７は根太２１を大引２２に強く押し付ける。
【００１５】
そして、次にネジ山１７に連設した、第１ネジ山１６と同じピッチで成形されたネジ山１８が根太２１に回転しながら食い込んでいくが、ネジ山１７によって根太２１は大引２２に強く押し付けられているため、根太２１と大引２２が密着した状態で第２のネジ山１８は根太２１にねじ込まれていく。
【００１６】
その際、円柱状の無ネジ部７が貫通した、根太２１のネジ穴２３は木材の復元力により多少収縮するが、導入部９のネジ山１７は、無ネジ部７の頭部３側の端１１の表面からリード角０度にてネジ山１７が主部１０のネジ山１８に向って徐々に拡径し、ネジ山１８は主部１０の途中部から導入部９への移行部分に向って徐々に縮径し、双方のネジ山外径が同じ大きさとなったところで段差なく連設しているので、根太２１の材質が硬質であってもネジ山１７とネジ山１８は無理なくネジ穴２３に捻じ込まれていく。
【００１７】
最後に、木ネジ１の頭部３が根太２１にほぼ面一になるまでねじ込まれ、本発明品である木ネジ１を使った大引２２への根太２１の締結は、双方が引き寄せられ密着した状態で完了する。
【００１８】
なお、第１のネジ山１６が大引２２に、第２のネジ山１８が根太２１にねじ込まれている時、双方のネジ山のピッチは同じであるため、根太２１と大引２２のネジ山との接触部分が破壊されことなく、引き寄せられている。
【００１９】
【発明の効果】
以上のように、この発明によると、先鋭な先端部、先鋭な先端部から始まる第１ネジ部、所定長さの円柱状の無ネジ部、続いて第２ネジ部、木ネジを回す工具と嵌合する機構を有する頭部の順に設け、第２ネジ部は、円柱状の無ネジ部側の端部ネジ山をリード角０度にて成形した導入部、導入部から連設し、第１ネジ部のネジピッチと同じピッチで成形されたネジ山を前記頭部の首下まで設けた主部とからなり、さらに第２ネジ部の始まり部のネジ山が、円柱状の無ネジ部の表面から徐々に拡径し、第２ネジ部の主部のネジ山が主部の途中部からから導入部への移行部分に向って徐々に縮径し、双方のネジ山が段差無く連設していることを特徴とする木材締結用木ねじを使って木材と木材を締結すれば、双方の木材がしっかりと引寄せられ、いつまでも双方の木材の間に隙間が生じることがないので、床の軋みや壁面の撓み等の発生を防ぐことができる。
【図面の簡単な説明】
【図１】本発明に係る木材締結用木ねじの一例を示す正面図と左側面図である。
【図２】本発明に係る木材締結用木ねじの第２ネジ部の導入部の一例を示す部分拡大図である。
【図３】本発明に係る木材締結用木ねじのＡ−Ａ断面拡大図である。
【図４】本発明に係る木材締結用木ねじを使用した根太と大引の締結工程を示す工程図である。
【図５】木材締結用木ねじの従来例である。
【符号の説明】
１．  木ネジ
２．  軸部
３．  頭部
４．  機構
５．  先端
６．  ネジ部
７．  無ネジ部
８．  ネジ部
９．  導入部
１０．  主部
１１．  端
１６．  ネジ山
１７．  ネジ山
１８．  ネジ山
２１．  根太
２２．  大引
２３．  ネジ穴
３１．  工具
【図１】
2005003188.tif 000003
【図２】
2005003188.tif 000004
【図３】
2005003188.tif 000005
【図４】
2005003188.tif 000006
【図５】
2005003188.tif 000007